(57)【要約】【課題】ユーザの所有に係る画像データをネットワーク上でユーザが希望するように加工・編集すると共に、当該加工・編集した画像データをユーザが希望する商品形態として発注する。【解決手段】ネットワークを介してユーザ端末から取得した画像データが保存される画像データ保存部、画像データの加工・編集に用いられる画像編集データが保存される画像編集データ保存部、画像編集データを用いて画像データが加工・編集された後の編集画像データをユーザ端末を使用するユーザに届ける画像商品に仕上げることに用いられる商品仕様データが保存される商品仕様データ保存部を備えているデータベースと、画像編集データ送信手段と、商品仕様データ送信手段と、注文受付手段とを備えているサーバ装置からなる画像商品発注システム。【選択図】図３
2011198076.tif 000002
【特許請求の範囲】
【請求項１】
ネットワークを介してユーザ端末から取得した画像データが保存される画像データ保存部、前記画像データの加工・編集に用いられる画像編集データが保存される画像編集データ保存部及び、当該画像編集データを用いて前記画像データが加工・編集された後の編集画像データを前記ユーザ端末を使用するユーザに届ける画像商品に仕上げることに用いられる商品仕様データが保存される商品仕様データ保存部とを備えているデータベースと、
前記ネットワークを介して前記ユーザ端末から取得した画像データの選択指示に対して、当該選択指示で選択された画像データを前記画像データ保存部から抽出するとともに、前記画像編集データ保存部に保存されている画像編集データを前記ユーザ端末に前記ネットワークを介して送信する画像編集データ送信手段と、
前記画像編集データを用いて加工・編集された編集画像データを、前記ネットワークを介して前記ユーザ端末から受信して、前記商品仕様データを前記ユーザ端末に前記ネットワークを介して送信する商品仕様データ送信手段と、
前記商品仕様データを用いて仕上げられた画像商品の注文データを、前記ネットワークを介して前記ユーザ端末から受信して、注文を受け付ける注文受付手段と
を備えているサーバ装置からなる画像商品発注システム。
【請求項２】
前記ユーザ端末は、
前記画像データを前記サーバ装置に前記ネットワークを介して送信する画像データ送信手段と、
前記サーバ装置の前記画像データ保存部に保存されている前記画像データの中から加工・編集する画像データを選択する画像データ選択手段と、
前記選択した画像データを、前記前記画像編集データを用いて加工・編集する画像データ編集手段と、
前記画像データ編集手段により加工・編集した画像データである編集画像データを前記サーバ装置に前記ネットワークを介して送信する編集画像データ送信手段と、
前記編集画像データを前記商品仕様データを用いて当該ユーザ端末を使用するユーザに届ける画像商品に仕上げる商品仕様選択手段と、
前記商品仕様選択手段により仕上げた画像商品の注文データを、前記ネットワークを介して前記サーバ装置に送信する注文データ送信手段と
を備えている請求項１記載の画像商品発注システム。
【発明の詳細な説明】
【技術分野】
【０００１】
この発明は、画像商品発注システムに関し、特に、ユーザがネットワークを介して提供する写真、絵画などの画像データをネットワーク上でユーザが希望するように加工・編集し、画像商品として発注するシステムに関する。
【背景技術】
【０００２】
インターネット等を利用した電子商取引は日常化しており、取引におけるセキュリティーの保護なども強化されているので、安心してショッピングサイトで希望の商品を購入することができるようになっている。
【０００３】
従来のショッピングサイトでは予めサイトを運営するショップが定める商品やサービスが決まっているので、ネットワークを介してサイトにアクセスしたユーザは通常の商取引と同様、その中から希望する商品やサービスを自己の所有するパーソナルコンピュータ等の画面上で選択することになる。
【０００４】
ここで、写真や絵画を趣味にするユーザの中には、撮像手段（例えば、デジタルカメラ）を利用して自分で撮像した写真や、自分で制作した絵画などを加工・編集して独自の個性ある画像商品（加工・編集された写真や絵画）として所有したいと希望する人がいる。このような場合、インターネット等を利用した従来の一般的なショッピングサイトでは実現が不可能である。
【０００５】
また、このような場合、自己の所有するパーソナルコンピュータで画像データ加工ソフトを使用して写真や絵画を加工・編集することが可能であるが、データの出力媒体やサイズ等が限定されるため、前記のような希望をかなえるには十分ではない。
【先行技術文献】
【特許文献】
【０００６】
【特許文献１】特開２００２−２４８４５号公報
【発明の概要】
【発明が解決しようとする課題】
【０００７】
本発明は、ユーザがデジタルカメラなどの撮像手段によって撮像した写真データや、ユーザの制作などに係る絵画などをイメージスキャナなどでスキャンした絵画データ（以下、本明細書、特許請求の範囲、図面において単に「画像データ」ということがある）を、インターネットなどのネットワーク上で、ユーザが希望するように加工・編集すると共に、当該加工・編集した画像データをユーザが希望する商品形態として発注することができる画像商品発注システムを提供することを目的にしている。
【課題を解決するための手段】
【０００８】
本願の請求項１の発明は、
ネットワークを介してユーザ端末から取得した画像データが保存される画像データ保存部、前記画像データの加工・編集に用いられる画像編集データが保存される画像編集データ保存部及び、当該画像編集データを用いて前記画像データが加工・編集された後の編集画像データを前記ユーザ端末を使用するユーザに届ける画像商品に仕上げることに用いられる商品仕様データが保存される商品仕様データ保存部とを備えているデータベースと、
前記ネットワークを介して前記ユーザ端末から取得した画像データの選択指示に対して、当該選択指示で選択された画像データを前記画像データ保存部から抽出するとともに、前記画像編集データ保存部に保存されている画像編集データを前記ユーザ端末に前記ネットワークを介して送信する画像編集データ送信手段と、
前記画像編集データを用いて加工・編集された編集画像データを、前記ネットワークを介して前記ユーザ端末から受信して、前記商品仕様データを前記ユーザ端末に前記ネットワークを介して送信する商品仕様データ送信手段と、
前記商品仕様データを用いて仕上げられた画像商品の注文データを、前記ネットワークを介して前記ユーザ端末から受信して、注文を受け付ける注文受付手段と
を備えているサーバ装置からなる画像商品発注システム
である。
【０００９】
請求項２記載の発明は、
前記ユーザ端末は、
前記画像データを前記サーバ装置に前記ネットワークを介して送信する画像データ送信手段と、
前記サーバ装置の前記画像データ保存部に保存されている前記画像データの中から加工・編集する画像データを選択する画像データ選択手段と、
前記選択した画像データを、前記前記画像編集データを用いて加工・編集する画像データ編集手段と、
前記画像データ編集手段により加工・編集した画像データである編集画像データを前記サーバ装置に前記ネットワークを介して送信する編集画像データ送信手段と、
前記編集画像データを前記商品仕様データを用いて当該ユーザ端末を使用するユーザに届ける画像商品に仕上げる商品仕様選択手段と、
前記商品仕様選択手段により仕上げた画像商品の注文データを、前記ネットワークを介して前記サーバ装置に送信する注文データ送信手段と
を備えている請求項１記載の画像商品発注システム
である。
【発明の効果】
【００１０】
本発明によれば、ユーザがデジタルカメラなどの撮像手段によって撮像した写真データや、ユーザの作成などに係る絵画などをイメージスキャナなどでスキャンした絵画データを、インターネットなどのネットワーク上で、ユーザが希望するように加工・編集すると共に、当該加工・編集した画像データをユーザが希望する商品形態として発注することができる画像商品発注システムを提供できる。
【図面の簡単な説明】
【００１１】
【図１】本発明のシステム全体の構成図。
【図２】本発明のショップサーバのデータベースの一例を示す図。
【図３】本発明の実施例の動作を表すフローチャートを示す図。
【図４】ユーザ端末で画像データの加工・編集を行う際のユーザ端末の表示部の一例を示す図。
【図５】ユーザ端末で編集画像データを画像商品に仕上げる際のユーザ端末の表示部の一例を示す図。
【発明を実施するための形態】
【００１２】
本発明の好ましい実施形態の一例を、添付図面を参照して説明する。
【００１３】
図１は本発明の電子商取引システムの全体構成図であり、ユーザ端末とショップサーバ３とがネットワーク２を介して相互に交信が可能な状態となっている。
【００１４】
ユーザ端末１ａ、１ｂ、１ｃ（以下、総称して「ユーザ端末１」と現すことがある）は、ユーザが所有するパーソナルコンピュータである。ユーザ端末１は携帯電話端末などの移動体端末装置でもよい。
【００１５】
ユーザは、デジタルカメラなどの撮像手段によって撮像した写真データやイメージスキャナでスキャンした絵画データなどをユーザ端末１に備えられている記憶部に保存することができる。
【００１６】
ネットワーク２は、公衆回線網、インターネット等の従来から存在するネットワークである。
【００１７】
コンピュータからなるショップサーバ３のウェブサイトによってショップが形成される。
【００１８】
ショップサーバ３はデータベース４を備えている（図２）。このデータベース４には、ネットワーク２を介してユーザ端末１から取得した画像データが保存される画像データ保存部５、画像データ保存部５に保存されている画像データの加工・編集に用いられる画像編集データが保存される画像編集データ保存部６及び、当該画像編集データを用いて前記画像データが加工・編集された後の編集画像データをユーザ端末１を使用するユーザに届ける画像商品に仕上げることに用いられる商品仕様データが保存される商品仕様データ保存部７が備えられている（図２）。
【００１９】
ショップサーバ３は、コンピュータの処理動作部が所定のコンピュータプログラムの下に以下に説明する所定の処理動作を行なう画像編集データ送信手段、商品仕様データ送信手段、注文受付手段を備えている。
【００２０】
画像編集データ送信手段は、ユーザ端末１から入力された画像データの選択指示に対して、当該選択指示によって選択された画像データ保存部５中の画像データを画像データ保存部５から抽出するとともに、前記選択指示を入力してきたユーザ端末１に、画像編集データ保存部６から画像編集データを送信する処理動作を行なう。
【００２１】
商品仕様データ送信手段は、ユーザ端末１から送信された編集画像データを受信して、前記編集画像データを送信してきたユーザ端末１に、商品仕様データ保存部７から商品仕様データを送信する処理動作を行なう。
【００２２】
注文受付手段は、ユーザ端末１から送信された商品仕様データを受信して注文を受け付ける処理動作を行なう。
【００２３】
画像データ保存部５には図２に示すように、ユーザ端末１から送信されてきた画像データが、写真１、２、絵画１、２のように各画像データごとに特定され、各ユーザ端末１を使用しているユーザを特定する情報に関連付けてユーザ毎に保存されている。
【００２４】
ユーザ端末１、ネットワーク２を介してショップサーバ３にアクセスしたユーザは画像データ保存部５に保存されている画像データの中から編集したい画像を選択することができる。
【００２５】
画像編集データ保存部６には、ユーザが選択した画像データを加工・編集することに用いられる画像編集データが保存されている。画像編集データには、例えば、図示したように、色彩、明暗、タッチ、コントラスト、等、画像データを加工・編集することに用いられる編集要素が含まれる。ユーザはこれらの中から編集要素を適宜選択し、画像データの色彩、明暗、タッチ、コントラスト、等をそれぞれ希望するように調節する。これによって、前記の選択している画像データを、希望する画像情報の状態に加工・編集することができる。いわば、従来の画像編集ソフトとしての役割が実行されることになる。
【００２６】
商品仕様データ保存部７にはショップが取り扱う画像データに関する商品の仕様データが保存されている。商品の仕様データには、前記のように加工・編集した画像データをどのような出力態様とするのかを選択する要素（紙の種類、サイズ、インクの種類、額縁の有無等）が含まれている。ユーザはこれらの中から適宜選択し、前記のように加工・編集した画像データを出力する際の紙の種類、サイズ、インクの種類、額縁の有無等を選択する。こうして、ユーザは自分自身で希望の商品形態を選択することができる。
【００２７】
なお、前記注文受付手段は従来から存在する電子商取引システムにおける決済手段を採用することができる。
【００２８】
ユーザ端末１及びショップサーバ３はネットワーク２を介して交信可能であるので、ショップサーバ３ではＷｅｂサーバプログラムが動作し、ユーザ端末１ではＷｅｂブラウザプログラムが動作する。
【００２９】
前述したように、ユーザが所有するパーソナルコンピュータや、携帯電話端末などの移動体端末装置などからなるユーザ端末１は、コンピュータの処理動作部が所定のコンピュータプログラムの下に後述する所定の処理動作を行なう、画像データ送信手段、画像データ選択手段、画像データ編集手段、編集画像データ送信手段、商品仕様選択手段、注文データ送信手段を備えている。
【００３０】
以下、図３に基づいてユーザがユーザ端末１からネットワーク２を介してショップサーバ３にアクセスして、ユーザの画像データを希望の商品形態として注文する動作の一例を説明する。
【００３１】
ユーザは、ユーザ端末１からネットワーク２を介してショップサーバ３にアクセスし、ユーザ端末１に備えられている画像データ送信手段により、画像データ（デジタルカメラなどの撮像手段によって撮像した写真データや、絵画などをイメージスキャナなどでスキャンした絵画データ）を、ショップサーバ３に送信する（ステップ３０１）。
【００３２】
そして、ショップサーバ３の指示に従って、画像データ保存部５に、ユーザを特定する情報に関連付けて画像データを保存する（ステップ３０２）。
【００３３】
この際、ユーザは、画像データ送信手段により、ユーザ端末１に接続されている電子機器に格納・保存されている画像データを、ネットワーク２を介してショップサーバ３に送信することもできるし、ユーザ端末１にあらかじめ格納・保存されている画像データをネットワーク２を介してショップサーバ３に送信することもできる。
【００３４】
次に、ユーザが、画像データ保存部５に保存されている画像データを加工・編集したいと考えたときには、自己のユーザ端末１、ネットワーク２を介してショップサーバ３にアクセスし、必要な情報の入力を行う。
【００３５】
これに対して、ショップサーバ３は当該ユーザに関連付けられて画像データ保存部５に保存されている画像データを表示し、加工・編集を行う画像データを選択するようユーザに促す。
【００３６】
そこで、ユーザはユーザ端末１の表示部に表示された画像データの一覧（例えば、写真１、写真２、絵画１、絵画２）の中から加工・編集したい画像データを選択し（ステップ３０３）、この選択指示に関する情報をユーザ端末１に備えられている画像データ選択手段により、ネットワーク２を介してショップサーバ３に送信する。
【００３７】
ショップサーバ３では、画像編集データ送信手段によって、取得した画像データの選択指示に対し、当該選択指示によって選択された画像データを画像データ保存部５から抽出し、また、画像編集データ保存部６から画像編集データをユーザ端末１に送信する（ステップ３０４）。
【００３８】
これによって、ユーザ端末１の表示部に選択した画像と画像編集画面が表示される。例えば、選択指示によって写真１が選択された場合には、図４図示のようにユーザ端末１の表示部に表示が行われる。
【００３９】
選択した写真１の明暗を変更したいと希望するユーザは、ユーザ端末１に備えられている画像データ編集手段により、前記画像編集データを用いて前記選択した画像データ、例えば、写真１を加工・編集する。
【００４０】
例えば、ユーザ端末１の表示部において「明暗」の部分をクリックする等して「明暗」の変更を希望する旨入力し、引き続き、ユーザ端末１の表示部に表示される入力を促す情報に従って入力して、写真１の明暗を希望するものに変更する。色彩、タッチ、コントラストなどについても変更を加えたい場合には同じようにしてそれぞれ変更を加えて、選択した画像データである写真１を編集する（ステップ３０５）。こうして、例えば、選択した画像データである写真１をセピア調に編集することができる。
【００４１】
ユーザは、編集完了後、前記のように加工・編集した画像データ（すなわち、編集画像データ）を、ユーザ端末１に備えられている編集画像データ送信手段により、ショップサーバ３に送信する。
【００４２】
ショップサーバ３では、商品仕様データ送信手段によって、取得した編集画像データを画像データ保存部５に保存し、また、商品仕様データ保存部７から商品仕様データをユーザ端末１に送信する。
【００４３】
これにより、ユーザ端末１の表示部には商品仕様の選択画面が表示される（ステップ３０６）。例えば、図５図示のように、写真１に前述したように加工・編集処理が行われた後の加工・編集写真１と、「紙」、「ボード」、「キャンパス」、等がユーザ端末１の表示部に表示される。
【００４４】
そこで、ユーザは、ユーザ端末１に備えられている商品仕様選択手段により、前記商品仕様データを用いて、前記の編集画像データを画像商品に仕上げる。
【００４５】
例えば、加工・編集写真１を紙に印刷することを希望するユーザは、表示部において「紙」の部分をクリックする等して「紙」を選択するとの入力を行い、引き続き、「紙質」等に関して、ユーザ端末１の表示部に表示される入力を促す情報に従って入力する。こうして、例えば、紙の種類を写真用としてアート紙を選択したり、額縁を選択して、ユーザ端末１を使用するユーザに届ける画像商品として、額縁付きの写真を仕上げる。
【００４６】
また、ここでは、図２に例示されているように、商品仕様データには「ふすま(襖)」「壁紙」「サイズ」等の選択ボタンもあり、画像商品を「ふすま(襖)」や「壁紙」として制作することも可能である。
【００４７】
こうして、商品仕様選択手段により、ユーザ端末１を使用するユーザに届ける画像商品が仕上げられたならば、これを、ユーザ端末１に備えられている注文データ送信手段により、商品の注文データとしてショップサーバ３に送信する（ステップ３０７）。
【００４８】
ショップサーバ３は商品の注文データを受信後、注文確認用の画面を生成するＨＴＭＬファイルを作成してユーザ端末に送信する（ステップ３０８）。
【００４９】
ユーザはユーザ端末に表示される注文確認画面を見て、注文をするか取り消すかの選択をし、その選択がショップサーバ３に送信される（ステップ３０９）。ショップサーバ３は前記選択指示により注文（あるいは、取消）を実行する（ステップ３１０）。
【００５０】
以上に一例を説明したように、この発明の画像商品発注システムによれば、ユーザはユーザ端末１においてクリック動作を繰返して入力・指示・選択するだけで、自分がデジタルカメラなどの撮像手段によって撮像した写真データや、自分で制作した絵画などをイメージスキャナなどでスキャンした絵画データを、自分の希望するように加工・編集し、かつ当該加工・編集した画像データを自分の希望する商品形態として注文することができる。すなわち、クリック動作だけで希望する絵画商品・写真商品、等の芸術品、アートを注文することができるのであり、いわば、クリックアートと称することのできるサービスを提供することができる。
【００５１】
以上、添付図面を参照して本発明を説明したが、本発明は上述した一例に限られること無く、特許請求の範囲の記載から把握される技術的範囲において種々の形態に変更可能である。
【産業上の利用可能性】
【００５２】
本発明は、所謂“画家”と呼ばれる人が描いた、所謂“名画”と呼ばれているものを、美術館へ行って鑑賞する、という従来の一般的な絵画鑑賞の楽しみ方、あるいは、絵具や筆、紙、キャンバスを使って、絵を描くという絵画制作の楽しみ方、このように、現在、一般的に、定着していると思われる“絵画の楽しみ方”を全く変える創作方法を提案するものである。
【００５３】
自分で絵を描きたいが、アトリエも無く、絵具やイーゼルを置くスペースを確保できず、また、たとえ描くときだけ一時的に確保できても、周りを汚したり、においが染み付いたり、と家族や周囲から不評を買うという状況の中で、結局、絵を描くことを断念してきた人たちが少なからず存在していると思われる。
【００５４】
また、部屋に絵を飾りたいが、値段が高い、自分の部屋にあう絵が見つからない、等々の事情で、結局、何もせずにいる人たちや、自分で撮影した写真を観賞用の作品にして自分の部屋に飾りたいと考えているが、具体的に制作に踏み切れないでいる人たちなどは、多数存在していると思われる。
【００５５】
本発明により、写真や、色鉛筆などで小さく描いた絵などをモチーフとして、あたかも絵具で大きな紙やキャンバスに絵を描いたかの如き絵画や写真作品を、自宅で容易に制作することができる。
【００５６】
更に、出来上がったオンリーワンの作品を自分の家に展示し、自ら鑑賞して楽しんだり、友達を自宅に呼んで観てもらって楽しんでもらうことができる。
【００５７】
これは、アトリエを構えて、大きな紙やキャンバスに大量の絵具を投入して描く現在の絵画制作方法を大きく変えるものである。
【００５８】
また、既製の絵画を購入してきて自宅の装飾にしたり、わざわざ美術館へ既製の絵画を観に行ったりする現在の絵画鑑賞行動をも大きく変えるものである。
【００５９】
本発明により、アトリエが無くても、自分で、自分のための、あるいは自分の家にあった絵画制作ができ、自宅にオリジナルな絵画鑑賞のための空間を創出することができるようになる。
【００６０】
すなわち、人々の個性の表出、自作自演、自画自賛の要求を満足させ得る発明ということができる。
【符号の説明】
【００６１】
４  ショップサーバのデータベース
５  画像データ保存部
６  画像編集データ保存部
７商品仕様データ保存部
【図１】
2011198076.tif 000003
【図２】
2011198076.tif 000004
【図３】
2011198076.tif 000005
【図４】
2011198076.tif 000006
【図５】
2011198076.tif 000007